(57)【特許請求の範囲】
【請求項１】
第１筐体(１)に対して第２筐体(２)がスライド可能に係合し、第１筐体(１)と第２筐体(２)との間には、第２筐体(２)のスライド方向に沿って伸びる左右一対のガイドレール(４)(４)と該ガイドレール(４)(４)に摺動可能に係合する金属製のスライド部材(３)とから構成されるスライド機構が配備されているスライド式電子機器において、
第１筐体(１)及び第２筐体(２)の何れか一方の筐体には、前記一対のガイドレール(４)(４)の両側に、前記第２筐体(２)のスライド方向に伸びる左右一対のガイド溝(６)(６)が凹設されると共に、他方の筐体には、前記一対のガイド溝(６)(６)にそれぞれ摺動可能に係合する樹脂製の一対の摺動片(５)(５)が配備され、
前記一方の筐体の左右両側の一方の側部に、一方のガイドレール(４)と一方のガイド溝(６)が配置されると共に、他方の側部に、他方のガイドレール(４)と他方のガイド溝(６)が配置されていることを特徴とするスライド式電子機器。
【請求項２】
第１筐体(１)及び第２筐体(２)はそれぞれ、前記スライド方向と平行な縦方向の寸法がスライド方向とは直交する横方向の寸法よりも小さく形成されている請求項１に記載のスライド式電子機器。
【発明の詳細な説明】
【技術分野】
【０００１】
本発明は、携帯電話機や各種操作端末機等の電子機器に関し、特に２つの筐体が互いにスライド可能に係合してなるスライド式電子機器に関するものである。
【背景技術】
【０００２】
この種のスライド式電子機器においては、例えば図８に示す如く、第１筐体(７)に対して第２筐体(８)がスライド可能に係合し、第２筐体(８)の内面には、第２筐体(８)のスライド方向に沿って伸びる左右一対のガイドレール(４)(４)が配備され、該ガイドレール(４)(４)には金属製のスライド部材(３)が摺動可能に係合し、該スライド部材(３)は第１筐体(７)の内面に連結されており、一対のガイドレール(４)(４)に沿ってスライド部材(３)が往復移動することにより、第１筐体(７)に対する第２筐体(８)のスライドが案内される(例えば特許文献１、２参照)。
【特許文献１】特開２００５−２９１３１５号公報
【特許文献２】特開２００６−１２８８０８号公報
【発明の開示】
【発明が解決しようとする課題】
【０００３】
ところで、上述のスライド部材(３)と一対のガイドレール(４)(４)から構成されるスライド機構においては、第１筐体(１)に対する第２筐体(８)のスムーズなスライド動作を実現するために、スライド部材(３)とガイドレール(４)(４)との間に必要最小限の遊びが必要である。
【０００４】
しかしながら、図８に示す様に、第１筐体(７)及び第２筐体(８)がそれぞれ横長の外形を有し、スライド方向に沿う縦方向の寸法がスライド方向とは直交する横方向の寸法よりも小さく形成されているスライド式電子機器においては、外形寸法の制約から、スライド機構を構成するガイドレール(４)(４)の長さを充分に大きく設計することが出来ないため、スライド部材(３)とガイドレール(４)(４)との間に必要な遊びを設けた場合、第２筐体(８)にスライド方向とは交叉する方向のガタツキが生じることとなり、スムーズなスライド動作を阻害する問題があった。
【０００５】
又、スライド部材(３)は板金製であるため、落下などによってスライド機構に衝撃が加わった場合、スライド部材(３)のガイドレール(４)に対する係合部(31)に応力が集中し、場合によってはスライド部材(３)の係合部(31)が塑性変形してしまい、その結果、第２筐体(８)のスライド時のガタツキが更に拡大する問題があった。
【０００６】
そこで本発明の目的は、使用中に衝撃が加わることがあったとしても、第１筐体に対する第２筐体のスムーズなスライド動作を維持することが出来るスライド式電子機器を提供することである。
【課題を解決するための手段】
【０００７】
本発明に係るスライド式電子機器においては、第１筐体(１)に対して第２筐体(２)がスライド可能に係合し、第１筐体(１)と第２筐体(２)との間には、第２筐体(２)のスライド方向に沿って伸びる左右一対のガイドレール(４)(４)と該ガイドレール(４)(４)に摺動可能に係合する金属製のスライド部材(３)とから構成されるスライド機構が配備されている。
又、第１筐体(１)及び第２筐体(２)の何れか一方の筐体には、前記一対のガイドレール(４)(４)の両側に、前記第２筐体(２)のスライド方向に伸びる左右一対のガイド溝(６)(６)が凹設されると共に、他方の筐体には、前記一対のガイド溝(６)(６)にそれぞれ摺動可能に係合する樹脂製の一対の摺動片(５)(５)が配備されている。
ここで、前記一方の筐体の左右両側の一方の側部に、一方のガイドレール(４)と一方のガイド溝(６)が配置されると共に、他方の側部に、他方のガイドレール(４)と他方のガイド溝(６)が配置されている。
【０００８】
具体的構成において、第１筐体(１)及び第２筐体(２)はそれぞれ、前記スライド方向と平行な縦方向の寸法がスライド方向とは直交する横方向の寸法よりも小さく形成されている。
【０００９】
上記本発明のスライド式電子機器においては、従来と同様の一対のガイドレール(４)(４)とスライド部材(３)とから構成される第１のスライド機構が配備されると共に、その両側に、一対のガイド溝(６)(６)と一対の摺動片(５)(５)から構成される第２のスライド機構が配備されているので、第１筐体(１)及び第２筐体(２)がそれぞれスライド方向とは直交する方向に長い横長の外形を有している場合においても、２つのスライド機構によるガイドによって、第１筐体(１)に対する第２筐体(２)のスライド時のガタツキが抑制される。
【００１０】
又、落下などによって両スライド機構に衝撃が加わり、第１のスライド機構を構成する金属製のスライド部材(３)に応力が集中することよって、スライド部材(３)の一部が塑性変形したとしても、第２のスライド機構を構成する摺動片(５)は樹脂製であるので、一定限度内の外力の作用では、摺動片(５)は弾性変形して、摺動片(５)とガイド溝(６)との間の遊びは適正な大きさに維持される。
従って、第２のスライド機構によるガイドによって、第１筐体(１)に対する第２筐体(２)のスライド時のガタツキが抑制される。
【発明の効果】
【００１１】
本発明に係るスライド式電子機器によれば、使用中に衝撃が加わることがあったとしても、第１筐体に対する第２筐体のスムーズなスライド動作を維持することが出来る。
【発明を実施するための最良の形態】
【００１２】
以下、本発明の実施の形態につき、図面に沿って具体的に説明する。
本発明に係るスライド式電子機器は、図１及び図２に示す如く、表面に主にテンキーが配備された第１筐体(１)と、表面に主に機能キーが配備された第２筐体(２)とから構成され、第１筐体(１)に対して第２筐体(２)のスライドが可能となっている。
【００１３】
図１に示す如く、第１筐体(１)及び第２筐体(２)はそれぞれ、第２筐体(２)のスライド方向に沿う縦方向の寸法Ｂがスライド方向とは直交する横方向の寸法Ａよりも小さく形成されている。
【００１４】
図３に示す如く、第２筐体(２)の内面には、第２筐体(２)のスライド方向に沿って伸びる左右一対のガイドレール(４)(４)が配備され、該ガイドレール(４)(４)には、板金製のスライド部材(３)が両側の係合部(31)(31)にて摺動可能に係合し、該スライド部材(３)は第１筐体(１)の内面に連結されている。
斯くして一対のガイドレール(４)(４)とスライド部材(３)とにより、第１のスライド機構が構成されている。
【００１５】
又、第２筐体(２)の内面には、一対のガイドレール(４)(４)の両側に、第２筐体(２)のスライド方向に沿って伸びる左右一対のガイド溝(６)(６)が凹設され、図４〜図７に示す如く両ガイド溝(６)(６)には、合成樹脂製の一対の摺動片(５)(５)が摺動可能に係合し、該摺動片(５)(５)は第１筐体(１)の内面に連結されている。
斯くして一対のガイド溝(６)(６)と一対の摺動片(５)(５)とにより、第２のスライド機構が構成されている。
尚、摺動片(５)の材質である合成樹脂としては、スライド部材(３)の材質である金属よりも大きな弾性(耐衝撃性)を発揮するものが採用されている。
【００１６】
図６及び図７に示す如く、各摺動片(５)には、第２筐体(２)との対向面に、第２筐体(２)のスライド方向に並ぶ一対の凸部(51)(51)が形成されており、摺動片(５)が第２筐体(２)のガイド溝(６)に沿って摺動する過程における摩擦抵抗を低減させている。
【００１７】
上記本発明のスライド式電子機器によれば、従来と同様の第１のスライド機構の両側に、一対のガイド溝(６)(６)と一対の摺動片(５)(５)から構成される第２のスライド機構が配備されているので、２つのスライド機構によるガイドによって、第１筐体(１)に対する第２筐体(２)のスライド時のガタツキが抑制される。
【００１８】
又、落下などによって両スライド機構に衝撃が加わり、第１のスライド機構を構成する金属製のスライド部材(３)の係合部(31)に応力が集中して、係合部(31)が塑性変形したとしても、第２のスライド機構を構成する摺動片(５)は合成樹脂製であるので、一定限度内の外力の作用では、摺動片(５)は弾性変形して、摺動片(５)とガイド溝(６)との間の遊びは適正な大きさに維持される。
従って、第２のスライド機構によるガイドによって、第１筐体(１)に対する第２筐体(２)のスライド時のガタツキが抑制され、第２筐体(２)のスムーズなスライド動作が維持される。
【００１９】
尚、本発明の各部構成は上記実施の形態に限らず、特許請求の範囲に記載の技術的範囲内で種々の変形が可能である。例えば上記実施例では、第２筐体(２)にガイド溝(６)(６)を形成し、第１筐体(１)に摺動片(５)(５)を配備しているが、逆に第１筐体(１)にガイド溝(６)(６)を形成し、第２筐体(２)に摺動片(５)(５)を配備する構成も採用可能である。
又、第１のスライド機構としては、図３に示すものに限らず、従来より公知の種々のスライド機構を採用することが出来る。
【図面の簡単な説明】
【００２０】
【図１】本発明に係るスライド式電子機器の閉じた状態を表わす斜視図である。
【図２】該スライド式電子機器の開いた状態を表わす斜視図である。
【図３】該スライド式電子機器の分解斜視図である。
【図４】該スライド式電子機器の横断面図である。
【図５】該スライド式電子機器の縦断面図である。
【図６】図４のＡ部を拡大して示す断面図である。
【図７】図５のＢ部を拡大して示す断面図である。
【図８】従来のスライド式電子機器を示す斜視図である。
【符号の説明】
【００２１】
(１)  第１筐体
(２)  第２筐体
(３)  スライド部材
(31)  係合部
(４)  ガイドレール
(５)  摺動片
(６)  ガイド溝
【図１】
0005001137.tif 000002
【図２】
0005001137.tif 000003
【図３】
0005001137.tif 000004
【図４】
0005001137.tif 000005
【図５】
0005001137.tif 000006
【図６】
0005001137.tif 000007
【図７】
0005001137.tif 000008
【図８】
0005001137.tif 000009